(57)【特許請求の範囲】
【請求項１】
増幅対象となる信号を増幅する増幅装置において、
信号を増幅する増幅器と、
前記増幅器の電源部と、
前記増幅対象となる信号のレベルを検出するレベル検出部と、
前記レベル検出部で検出される信号のレベルに対応付けられた振幅に前記増幅対象となる信号の振幅を変換する振幅制御部と、
前記レベル検出部で検出される信号のレベルに対応付けられた電源電圧に前記電源部の電源電圧を制御する電源制御部と、を備え、
前記増幅器は、前記振幅制御部により振幅が変換された信号を増幅し、
更に、
当該増幅装置は、
前記増幅対象となる信号と前記増幅器から出力される信号に基づいて、前記増幅対象となる信号のレベル毎に当該増幅装置のゲインを検出するゲイン検出部と、
前記振幅制御部における前記増幅対象となる信号の振幅を変換する対応付け、及び前記電源制御部における電源電圧を制御する対応付けを、当該増幅装置のゲインが目標とするゲインに近づくように、前記増幅対象となる信号のレベル毎に更新する更新制御部と、を備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部における前記増幅対象となる信号の振幅を変換する対応付けを更新する処理よりも、前記電源制御部における電源電圧を制御する対応付けを前記電源電圧が小さくなる方向に更新する処理を優先して行い、
前記目標となるゲインよりも検出されたゲインが低い場合は、前記電源制御部における電源電圧を制御する対応付けを更新する処理よりも、前記振幅制御部における前記増幅対象となる信号の振幅を変換する対応付けを前記増幅対象となる信号の振幅が大きくなる方向に更新する処理を優先して行う、
ことを特徴とする増幅装置。
【請求項２】
増幅対象となる信号を増幅する増幅装置において、
信号を増幅する増幅器と、
前記増幅器の電源部と、
前記増幅対象となる信号のレベルを検出するレベル検出部と、
前記レベル検出部で検出される信号のレベルに対応付けられた振幅に前記増幅対象となる信号の振幅を変換する振幅制御部と、
前記レベル検出部で検出される信号のレベルに対応付けられた電源電圧に前記電源部の電源電圧を制御する電源制御部と、を備え、
前記増幅器は、前記振幅制御部により振幅が変換された信号を増幅し、
更に、
前記振幅制御部は、前記レベル検出部で検出される前記増幅対象となる信号のレベルと、当該レベルの信号の振幅を変換する際に用いる振幅変換値とを対応付けるテーブル又は数式を記憶する記憶部を備え、
前記電源制御部は、前記レベル検出部で検出される前記増幅対象となる信号のレベルと、電源電圧を制御する際に用いる電源制御値とを対応付けるテーブル又は数式を記憶する記憶部を備え、
当該増幅装置は、
前記増幅対象となる信号と前記増幅器から出力される信号に基づいて、前記増幅対象となる信号のレベル毎に当該増幅装置のゲインを検出するゲイン検出部と、
前記振幅制御部の記憶部に記憶される前記振幅制御値の対応付け、及び前記電源制御部の記憶部に記憶される前記電源制御値の対応付けを、当該増幅装置のゲインが目標とするゲインに近づくように、前記増幅対象となる信号のレベル毎に更新する更新制御部と、を備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部の記憶部に記憶される対応付けを更新する処理よりも、前記電源制御部の記憶部に記憶される対応付けを前記電源部の電源電圧が小さくなる方向に更新する処理を優先して行い、
前記目標となるゲインよりも検出されたゲインが低い場合は、前記電源制御部の記憶部に記憶される対応付けを更新する処理よりも、前記振幅制御部の記憶部に記憶される対応付けを前記増幅対象となる信号の振幅が大きくなる方向に更新する処理を優先して行う、
ことを特徴とする増幅装置。
【請求項３】
増幅対象となる信号を増幅する増幅装置において、
信号を増幅する増幅器と、
前記増幅器の電源部と、
前記増幅対象となる信号の振幅を当該信号のレベルに対応付けられた振幅に変換し、当該変換した信号を前記増幅器へ出力する振幅制御部と、
前記電源部の電源電圧を前記振幅制御部で振幅が変換された信号のレベルに対応付けられた電源電圧に制御する電源制御部と、
前記増幅対象となる信号と前記増幅器から出力される信号に基づいて、前記増幅対象となる信号のレベル毎に当該増幅装置のゲインを検出するゲイン検出部と、
前記振幅制御部における前記増幅対象となる信号の振幅を変換する対応付け、及び前記電源制御部における電源電圧を制御する対応付けを、当該増幅装置のゲインが目標とするゲインに近づくように、前記増幅対象となる信号のレベル毎に更新する更新処理部とを備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部における前記増幅対象となる信号の振幅を変換する対応付けを更新する処理よりも、前記電源制御部における電源電圧を制御する対応付けを前記電源電圧が小さくなる方向に更新する処理を優先して行い、
前記目標となるゲインよりも検出されたゲインが低い場合は、前記電源制御部における電源電圧を制御する対応付けを更新する処理よりも、前記振幅制御部における前記増幅対象となる信号の振幅を変換する対応付けを前記増幅対象となる信号の振幅が大きくなる方向に更新する処理を優先して行う、
ことを特徴とする増幅装置。
【請求項４】
請求項３に記載の増幅装置において、
前記振幅制御部は、前記増幅対象となる信号のレベルと、当該レベルの信号の振幅を変換する際に用いる振幅変換値とを対応付けるテーブル又は数式を記憶する記憶部を備え、
前記電源制御部は、前記振幅制御部で振幅が変換された信号のレベルと、電源電圧を制御する際に用いる電源制御値とを対応付けるテーブル又は数式を記憶する記憶部を備える、
ことを特徴とする増幅装置。
【発明の詳細な説明】
【技術分野】
【０００１】
本発明は、増幅装置に関し、特に、効率的な増幅装置に関する。
【背景技術】
【０００２】
電力増幅器には、低非線形歪、高効率化及び広帯域化が求められる。現在では、ドハティ増幅器で高効率化し、ＤＰＤ（Ｄｉｇｉｔａｌ  Ｐｒｅ−Ｄｉｓｔｏｒｔｉｏｎ）で歪補償を行う方法が一般的である。
例えば、第３世代以降の携帯電話では、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）などのＰＡＰＲ（Ｐｅａｋ  ｔｏ  Ａｖｅｒａｇｅ  Ｐｏｗｅｒ  Ｒａｔｉｏ）の大きい信号が用いられ、システムの帯域幅は数十ＭＨｚである。第４世代では、更に広帯域な信号が用いられるが、ドハティ増幅器ではＰＡＰＲに応じたバックオフが必要であるため高効率化に限界がある。また、１／４波長線路を用いた負荷変調を行うため、広帯域化が困難である。【０００３】
そこで、増幅する信号の振幅に応じて増幅器の電源電圧を制御することによって、常に飽和に近い状態で動作させる方式が研究されている。この方式を用いると、理想的にはバックオフは不要となるため高効率化を実現でき、また、増幅する信号の周波数に依存しないため広帯域化を期待できる。この方式の代表的な技術として、ＥＴ（Ｅｎｖｅｌｏｐｅ  Ｔｒａｃｋｉｎｇ）方式や、ＥＥＲ（Ｅｎｖｅｌｏｐｅ  Ｅｌｉｍｉｎａｔｉｏｎ  ａｎｄ  Ｒｅｓｔｏｒａｔｉｏｎ）方式が挙げられる。【０００４】
図９には、ＥＴ方式の増幅装置の構成例を概念的に示してある。
本例の増幅装置は、電力増幅部（ＰＡ：Ｐｏｗｅｒ  Ａｍｐｌｉｆｉｅｒ）１０１、振幅検出部１０２、ＰＡ電源部１０３を備えている。
入力信号は、ＣＤＭＡ信号やＯＦＤＭ信号などの大きなＰＡＰＲを持つ変調信号を無線周波数（ＲＦ：Ｒａｄｉｏ  Ｆｒｅｑｕｅｎｃｙ）の搬送波に乗せたＲＦ信号である。【０００５】
本例のＥＴ方式の増幅装置において行われる動作の例を示す。
入力信号は、振幅検出部１０２で振幅を検出される。ＰＡ電源部１０３では、検出された振幅の大きさに応じて、ＰＡ１０１に与える電源電圧の大きさを制御する。ＰＡ１０１では、入力信号が入力され、電力を増幅して出力信号を出力する。
このとき、ＰＡ１０１で入力信号の振幅に対応した電源が供給されるように、ＰＡ１０１の入力側又は電源供給側に、適宜、遅延回路（図示せず）を挿入して時間調整が行われる。【０００６】
本例の増幅装置を実施する一例としては、振幅検出部１０２にはダイオード検波器を用い、ＰＡ電源部１０３にはＤ級増幅器を用い、ＰＡ１０１には電界効果トランジスタ（ＦＥＴ：Ｆｉｅｌｄ  Ｅｆｆｅｃｔ  Ｔｒａｎｓｉｓｔｏｒ）やバイポーラトランジスタを用いる。その他、様々な公知の技術で実現できる。【０００７】
図１０には、ＥＥＲ方式の増幅装置の構成例を概念的に示してある。
本例の増幅装置は、電力増幅部（ＰＡ）１０１、振幅検出部１０２、ＰＡ電源部１０３、位相検出部（例えば、リミッタ）１１１を備えている。
ここで、図９に示されるＥＴ方式の増幅装置との概略的な違いは、位相検出部１１１をＰＡ１０１の入力側に備える点である。【０００８】
本例のＥＥＲ方式の増幅装置において行われる動作の例を示す。
位相検出部１１１は、入力信号の振幅情報を取り除き、位相情報のみを抽出してＰＡ１０１へ出力する。本例では、ＰＡ電源部１０３で印加される電圧によってＰＡ１０１のゲインが変化する性質を利用しており、ＰＡ１０１の出力信号では振幅情報が復元される。
本例の増幅装置を実施する一例としては、位相検出部１１１には飽和増幅器を用いる。また、本例では、ＰＡ１０１には、入力信号が定包絡であるためＣ級増幅器を用いることができる。その他、様々な公知の技術で実現できる。【０００９】
図１１には、従来方式（固定電圧）とＥＴ方式／ＥＥＲ方式との比較例を示してある。
グラフの横軸は時間（Ｔｉｍｅ）を表しており、縦軸は一例としてＦＥＴに印加するドレイン電圧（ＶＤＤ）を表している。
従来方式では、最大電力に合わせた固定の電源電圧（Ｆｉｘｅｄ  ＶＤＤ）を印加していたのに対し、ＥＴ方式／ＥＥＲ方式では入力信号の振幅（点線で示したＥｎｖｅｌｏｐｅ）に応じた電源電圧を印加して飽和に近い状態で増幅器（ＰＡ）を動作させる。従って、図１１に示される色付き部分の供給電圧を低減できる、すなわち、ＰＡ１０１への供給電力を低減できるので、高効率となる。【００１０】
ここで、上述したＥＴ方式やＥＥＲ方式の例はアナログ信号に対する実現方法であった。
次に、デジタル信号に対する実現方法を示す。
図１２には、デジタル方式を採用したＥＴ方式又はＥＥＲ方式の増幅装置の構成例を概念的に示してある。
本例の増幅装置は、ＥＴ方式では設けられずＥＥＲ方式で設けられる位相検出部（例えば、リミッタ）１２１、Ｄ／Ａ（Ｄｉｇｉｔａｌ  ｔｏ  Ａｎａｌｏｇ）変換器１２２、Ｄ／Ａ変換器１２３、直交変調部１２４、電力増幅部（ＰＡ）１２５、振幅検出部１２６、Ｄ／Ａ変換器１２７、ＰＡ電源部１２８を備えている。【００１１】
ここで、電力増幅部（ＰＡ）１２５、振幅検出部１２６、ＰＡ電源部１２８、位相検出部１２１の機能については、図９や図１０に示されるアナログ方式の場合と同様である。図９や図１０に示されるアナログ方式との違いは、Ｄ／Ａ変換器１２２、１２３、１２７、直交変調部１２４を備える点である。【００１２】
本例の増幅装置において行われる動作の例を示す。
入力信号はＩ相及びＱ相のデジタル信号Ｉ（ｔ）、Ｑ（ｔ）である。
振幅検出部１２６は、デジタル部に備えられ、瞬時振幅Ｅｎｖ（ｔ）を（式１）で求めて出力する。ここで、Ｅｎｖ（ｔ）、Ｉ（ｔ）、Ｑ（ｔ）は時間ｔの関数である。
【数１】
0005446021.tif 000002
【００１３】
振幅検出部１２６からの出力信号は、Ｄ／Ａ変換器１２７でデジタル信号からアナログ信号へ変換される。ＰＡ電源部１２８は、アナログ方式の場合と等しい。
また、ＥＥＲ方式の場合には、入力信号は、位相検出部１２１に送られた後に、Ｄ／Ａ変換器１２２、１２３に入力される。ＥＴ方式の場合には、位相検出部１２１は備えず、入力信号はＤ／Ａ変換器１２２、１２３に入力される。【００１４】
位相検出部１２１では、瞬時位相θ（ｔ）を（式２）で求め、（式３）で示される信号Ｉ’（ｔ）をＤ／Ａ変換器１２２へ出力し、（式４）で示される信号Ｑ’（ｔ）をＤ／Ａ変換器１２３へ出力する。ここで、θ（ｔ）、Ｉ（ｔ）、Ｑ（ｔ）、Ｉ’（ｔ）、Ｑ’（ｔ）は時間ｔの関数であり、ＡＦＩＸは固定的な振幅である。
【数２】
0005446021.tif 000003
【数３】
0005446021.tif 000004
【数４】
0005446021.tif 000005
【００１５】
Ｉ相に対応したＤ／Ａ変換器１２２及びＱ相に対応したＤ／Ａ変換器１２３では、それぞれ、ＥＴ方式の場合には入力信号をデジタル信号からアナログ信号へ変換して直交変調部１２４へ出力し、また、ＥＥＲ方式の場合には位相検出部１２１からの出力信号をデジタル信号からアナログ信号へ変換して直交変調部１２４へ出力する。
直交変調部１２４では、Ｄ／Ａ変換器１２２、１２３からの信号が直交変調され、その結果の信号がＰＡ１２５へ出力される。ＰＡ１２５では、直交変調部１２４からの信号が電力を増幅される。
なお、無線周波数によっては、通常、周波数変換器（アップコンバータ）が、直交変調部１２４とＰＡ１２５との間に備えられるが、図１２では図示を省略している。
【先行技術文献】
【特許文献】
【００１６】
【特許文献１】特開２００４−１０４１９４号公報
【特許文献２】特開２００９−１５９２１８号公報
【発明の概要】
【発明が解決しようとする課題】
【００１７】
ここで、増幅器の理想的な特性の例を示す。
図１３（ａ）、（ｂ）では、ＥＴ用増幅器（本例では、ＰＡ）について、図１３（ａ）にゲイン特性の一例を示してあり、図１３（ｂ）に入出力特性の一例を示してある。
ゲイン特性のグラフでは、横軸は増幅器の入力電力（或いは、入力振幅）Ｐｉｎ［ｄＢ］を表しており、縦軸はゲイン（Ｇａｉｎ）［ｄＢ］を表している。
入出力特性のグラフでは、横軸は増幅器の入力電力（或いは、入力振幅）Ｐｉｎ［ｄＢ］を表しており、縦軸は増幅器の出力電力（或いは、出力振幅）Ｐｏｕｔ［ｄＢ］を表している。
また、ゲイン特性及び入出力特性では、増幅器の電源電圧ＶＤＤを最大値ＶＤＤＭＡＸから最小値ＶＤＤＭＩＮまで変化させた場合における複数の特性を示してある（ここで、ＶＤＤＭＡＸ＞ＶＤＤＭＩＮ）。
例えば、ゲイン特性及び入出力特性では、それぞれ、図中で丸を付けたところを結ぶような特性が理想となる。つまり、電源電圧としてはできるだけ小さい電圧を使用し、且つ、飽和する直前を使用するのが好ましい。【００１８】
図１３（ｃ）、（ｄ）では、ＥＥＲ用増幅器（本例では、ＰＡ）について、図１３（ｃ）にゲイン特性の一例を示してあり、図１３（ｄ）に入出力特性の一例を示してある。
ゲイン特性のグラフでは、横軸は増幅器の入力電力（或いは、入力振幅）Ｐｉｎ［ｄＢ］を表しており、縦軸はゲイン（Ｇａｉｎ）［ｄＢ］を表している。
入出力特性のグラフでは、横軸は増幅器の入力電力（或いは、入力振幅）Ｐｉｎ［ｄＢ］を表しており、縦軸は増幅器の出力電力（或いは、出力振幅）Ｐｏｕｔ［ｄＢ］を表している。
また、ゲイン特性及び入出力特性では、増幅器の電源電圧ＶＤＤを最大値ＶＤＤＭＡＸから最小値ＶＤＤＭＩＮまで変化させた場合における複数の特性を示してある（ここで、ＶＤＤＭＡＸ＞ＶＤＤＭＩＮ）。
例えば、ゲイン特性及び入出力特性では、それぞれ、図中で丸を付けたところを結ぶような特性が理想となる。つまり、電源電圧としてはできるだけ小さい電圧を使用し、且つ、飽和する直前を使用するのが好ましい。【００１９】
図１４（ａ）、（ｂ）、（ｃ）では、一般的な増幅器の特性として、図１４（ａ）にゲイン特性の一例を示してあり、図１４（ｂ）に入出力特性の一例を示してあり、図１４（ｃ）に電力効率特性の一例を示してある。
ゲイン特性のグラフでは、横軸は増幅器の入力電力（或いは、入力振幅）Ｐｉｎ［ｄＢ］を表しており、縦軸はゲイン（Ｇａｉｎ）［ｄＢ］を表している。
入出力特性のグラフでは、横軸は増幅器の入力電力（或いは、入力振幅）Ｐｉｎ［ｄＢ］を表しており、縦軸は増幅器の出力電力（或いは、出力振幅）Ｐｏｕｔ［ｄＢ］を表している。
電力効率特性のグラフでは、横軸は増幅器の入力電力（或いは、入力振幅）Ｐｉｎ［ｄＢ］を表しており、縦軸は電力効率ηを表している。【００２０】
また、ゲイン特性、入出力特性及び電力効率特性では、増幅器の電源電圧ＶＤＤを最大値ＶＤＤＭＡＸから最小値ＶＤＤＭＩＮまで変化させた場合における複数の特性を示してある（ここで、ＶＤＤＭＡＸ＞ＶＤＤＭＩＮ）。
図１４（ａ）、（ｂ）、（ｃ）に示されるように、ＥＴ方式やＥＥＲ方式では、増幅器（例えば、ＰＡ１０１、１２５）への入力信号の電力（振幅）に対して、点線で示した軌跡を描く。【００２１】
ここで、図１４（ａ）、（ｂ）から分かるように、電源電圧ＶＤＤが大きい領域では、電源電圧ＶＤＤの変化に対してゲインはほぼ一定に保たれ、電源電圧ＶＤＤが小さくなるにつれ、電源電圧ＶＤＤの変化に対してゲインも変化する特徴が見られる。このため、ＥＴ方式とＥＥＲ方式で求まる特性に増幅器を調整することは困難であるという問題があった。
また、電源電圧ＶＤＤが小さい領域では、電源電圧ＶＤＤの変化に対してゲインの変化が激しく、また、電力効率ηが著しく小さくなって不安定なため、使用しないことが望ましい。
また、図１４（ｃ）から分かるように、ＥＴ方式とＥＥＲ方式のいずれの方式においても、電力効率ηが最大となる特性を示しておらず、最適化に課題が残る。【００２２】
本発明は、このような従来の事情に鑑み為されたもので、効率的な増幅装置を提供することを目的とする。
【課題を解決するための手段】
【００２３】
上記目的を達成するため、本発明では、増幅対象となる信号を増幅する増幅装置において、次のような構成とした。
すなわち、信号を増幅する増幅器を備えた。レベル制御手段が、前記増幅対象となる信号のレベルに応じて、当該信号のレベルを変換する。電源制御手段が、前記増幅対象となる信号のレベルに応じて決定される電源電圧を前記増幅器へ供給する。前記増幅器は、前記電源制御手段により供給される電源電圧により、前記レベル制御手段によりレベルが変換された信号を増幅する。
従って、効率的な増幅装置を実現することができる。【００２４】
ここで、増幅対象となる信号としては、種々なものが用いられてもよく、例えば、送信機に適用される場合には、送信対象となる信号を用いることができる。
また、増幅器としては、種々なものが用いられてもよく、例えば、電力増幅器を用いることができる。また、増幅装置としては、例えば、電力増幅装置として構成することができる。
また、信号のレベルとしては、例えば、振幅のレベルや、電力のレベルを用いることができる。【００２５】
また、増幅対象となる信号のレベルに応じて当該信号のレベルを変換する構成や、増幅対象となる信号のレベルに応じて電源電圧を決定する構成では、必ずしも増幅対象となる信号のレベルそのものが参照されなくてもよく、例えば、増幅対象となる信号のレベルに基づいて取得される情報が参照されてもよい。
一構成例として、電源制御手段は、レベル制御手段によりレベルが変換された信号のレベルに応じて決定される電源電圧を増幅器へ供給する。【００２６】
本発明に係る増幅装置では、一構成例として、次のような構成とした。
すなわち、前記レベル制御手段は、前記増幅対象となる信号のレベルに応じて当該信号のレベルを変換する態様を規定する情報として、当該増幅装置のゲインが前記増幅対象となる信号のレベルによらず一定となるように設定された情報を記憶する。
また、前記電源制御手段は、前記増幅対象となる信号のレベルに応じて電源電圧を決定する態様を規定する情報として、前記増幅対象となる信号のレベルに対して前記増幅器の電力効率を最大化するように設定された情報を記憶する。
従って、増幅装置のゲインを一定とすることや、増幅器の電力効率を最大化することができ、効率化が図られる。【００２７】
ここで、増幅対象となる信号のレベルに応じて当該信号のレベルを変換する態様を規定する情報としては、例えば、増幅対象となる信号のレベルと、当該信号のレベルを変換する際に使用される値（例えば、図３に示される振幅変換値）との対応の情報を用いることができ、このような情報をテーブル或いは数式により規定することができる。
また、増幅対象となる信号のレベルに応じて電源電圧を決定する態様を規定する情報としては、例えば、増幅対象となる信号のレベル（レベル変換後のレベルでもよい）と、電源電圧を制御する際に使用される値（例えば、図４に示される電源制御値）との対応の情報を用いることができ、このような情報をテーブル或いは数式により規定することができる。【００２８】
本発明に係る増幅装置では、一構成例として、次のような構成とした。
すなわち、ゲイン検出手段が、前記増幅対象となる信号と前記増幅器から出力された信号に基づいて当該増幅装置のゲインを検出する。更新手段が、前記ゲイン検出手段により検出されたゲインに基づいて、前記レベル制御手段により前記増幅対象となる信号のレベルに応じて当該信号のレベルを変換する態様又は前記電源制御手段により前記増幅対象となる信号のレベルに応じて電源電圧を決定する態様の一方又は両方を更新する。
従って、フィードバックの信号（増幅器から出力された信号）を用いて、レベル制御手段や電源制御手段について更新を行うことにより、良好な状態を維持することができる。【００２９】
ここで、増幅対象となる信号と増幅器から出力された信号に基づいて増幅装置のゲインを検出する構成において、増幅対象となる信号や、増幅器から出力された信号としては、それぞれ、必ずしも該当する信号そのものが用いられなくてもよく、例えば、該当する信号に処理が施された結果の信号のように、該当する信号に基づいて取得される信号が用いられてもよい。
また、レベル制御手段についての更新と、電源制御手段についての更新は、例えば、両方が行われてもよく、或いは、いずれか一方のみが行われてもよい。【００３０】
（以下、構成例の説明）
以下に、構成例として、（構成例１）〜（構成例１０）を示す。なお、これらの構成例は、本発明を限定するものではない。
（構成例１：例えば、図１、図５に対応）
入力信号の振幅に対応付けて当該入力信号の振幅を変換する振幅制御ユニットと、
変換した振幅に対応付けて電力増幅器の電源電圧を制御する電源制御ユニット（他の構成例として、入力信号の振幅に対応付ける場合は、例えば、図７に対応）と、
を備えることを特徴とした電力増幅装置。【００３１】
（構成例２：例えば、図３に対応）
（構成例１）に記載の電力増幅装置において、
前記振幅制御ユニットの振幅を変換する対応付けは、電力増幅装置のゲインが入力信号の振幅によらず一定となるように振幅を変換するような関係となる、
ことを特徴とした電力増幅装置。【００３２】
（構成例３：例えば、図４に対応）
（構成例１）又は（構成例２）に記載の電力増幅装置において、
前記電源制御ユニットの電源電圧を制御する対応付けは、入力信号の振幅に対して電力増幅器の電力効率を最大化するように電源電圧を制御するような関係となる、
ことを特徴とした電力増幅装置。【００３３】
（構成例４：例えば、図５に対応）
（構成例１）乃至（構成例３）のいずれかに記載の電力増幅装置において、前記振幅制御ユニットは、
入力信号の振幅を検出する振幅検出部と、
前記検出した振幅に対応した振幅変換値を出力する振幅制御部と、
前記振幅変換値をもとに前記入力信号の振幅を変換する振幅変換部と、
を備えることを特徴とした電力増幅装置。【００３４】
（構成例５：例えば、図５に対応）
（構成例１）乃至（構成例３）のいずれかに記載の電力増幅装置において、前記電源制御ユニットは、
入力信号の振幅を検出する振幅検出部と、
前記検出した振幅に対応した電源制御値を出力する電源制御部と、
を備えることを特徴とした電力増幅装置。【００３５】
（構成例６：例えば、図１、図５、図７に対応）
（構成例１）乃至（構成例５）のいずれかに記載の電力増幅装置において、
前記振幅制御ユニットの対応付け又は前記電源制御ユニットの対応付けの少なくとも一方を適応制御する装置制御ユニット
を備えることを特徴とした電力増幅装置。【００３６】
（構成例７：例えば、図５、図７に対応）
（構成例６）に記載の電力増幅装置において、前記装置制御ユニットは、
増幅器からのフィードバック信号をデジタル信号に変換するＡ／Ｄ変換器と、
前記入力信号と前記フィードバック信号とから増幅装置のゲインを検出するゲイン検出部と、
前記電源制御部の対応付け又は前記振幅制御部の対応付けの少なくとも一方を更新する装置制御部と、
を備えることを特徴とした電力増幅装置。【００３７】
（構成例８：例えば、図６に対応）
（構成例７）に記載の電力増幅装置において、前記適応制御方法は、
前記ゲイン検出部で検出したゲインと目標とするゲインとを比較して、
目標とするゲインよりも検出したゲインが高い場合は、増幅器の電源電圧を小さくする方向に該当する入力信号の振幅と電源制御値との対応付けを更新することを優先にして、次に振幅を小さくする方向に該当する入力信号の振幅と振幅変換値との対応付けを更新し、
目標とするゲインよりも検出したゲインが低い場合は、振幅を大きくする方向に該当する入力信号の振幅と振幅変換値との対応付けを更新することを優先にして、次に増幅器の電源電圧を大きくする方向に該当する入力信号の振幅と電源制御値との対応付けを更新する、
ことを特徴とした電力増幅装置。【００３８】
（構成例９：例えば、図８に対応）
電力増幅装置において、
入力信号の振幅を検出する振幅検出部と、
前記検出した振幅に対応した振幅変換値及び位相変換値を出力する振幅／位相制御部と、
前記振幅変換値及び前記位相変換値をもとに前記入力信号の振幅及び位相を変換する振幅／位相変換部と、
前記振幅／位相変換部の出力信号の振幅を検出する振幅検出部と、
前記検出した振幅に対応した電源制御値を出力する電源制御部と、
増幅器からのフィードバック信号をデジタル信号に変換するＡ／Ｄ変換器と、
前記入力信号と前記フィードバック信号とから増幅装置のゲイン／位相を検出するゲイン／位相検出部と、
前記電源制御部の対応付け又は前記振幅／位相制御部の対応付けの少なくとも一方を更新する装置制御部と、
を備えることを特徴とした電力増幅装置。【００３９】
（構成例１０：例えば、図１、図５、図７、図８に対応）
（構成例１）乃至（構成例９）のいずれかに記載の電力増幅装置において、
振幅制御ユニットの出力信号をアナログ信号に変換するＤ／Ａ変換器と、
前記Ｄ／Ａ変換器の出力信号を直交変調する直交変調器と、
前記直交変調器の出力信号の電力を増幅する電力増幅器と、
電源制御ユニットの出力信号をアナログ信号に変換するＤ／Ａ変換器と、
前記アナログ信号に変換された電源制御ユニットの出力信号に応じて前記電力増幅器に電源電圧を与えるＰＡ電源部と、
を備えることを特徴とした電力増幅装置。
（以上、構成例の説明）【００４０】
（以下、更なる構成例の説明）
以下に、更なる構成例として、（構成例１１）〜（構成例１７）を示す。なお、これらの構成例は、本発明を限定するものではない。
（構成例１１：例えば、図１、図７に対応）
増幅対象となる信号を増幅する増幅装置において、
信号を増幅する増幅器と、
前記増幅器の電源部と、
前記増幅対象となる信号のレベルを検出するレベル検出部と、
前記レベル検出部で検出される信号のレベルに対応付けられた振幅に前記増幅対象となる信号の振幅を変換する振幅制御部と、
前記レベル検出部で検出される信号のレベルに対応付けられた電源電圧に前記電源部の電源電圧を制御する電源制御部と、を備え、
前記増幅器は、前記振幅制御部により振幅が変換された信号を増幅する、
ことを特徴とする増幅装置。【００４１】
（構成例１２：例えば、図６、図７に対応）
（構成例１１）に記載の増幅装置において、
前記増幅対象となる信号と前記増幅器から出力される信号に基づいて、前記増幅対象となる信号のレベル毎に当該増幅装置のゲインを検出するゲイン検出部と、
前記振幅制御部における前記増幅対象となる信号の振幅を変換する対応付け、及び前記電源制御部における電源電圧を制御する対応付けを、当該増幅装置のゲインが目標とするゲインに近づくように、前記増幅対象となる信号のレベル毎に更新する更新処理部とを備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部における前記増幅対象となる信号の振幅を変換する対応付けを更新する処理よりも、前記電源制御部における電源電圧を制御する対応付けを前記電源電圧が小さくなる方向に更新する処理を優先して行い、
前記目標となるゲインよりも検出されたゲインが低い場合は、前記電源制御部における電源電圧を制御する対応付けを更新する処理よりも、前記振幅制御部における前記増幅対象となる信号の振幅を変換する対応付けを前記増幅対象となる信号の振幅が大きくなる方向に更新する処理を優先して行う、
ことを特徴とする増幅装置。【００４２】
（構成例１３：例えば、図７に対応）
（構成例１１に記載の増幅装置において、
前記振幅制御部は、前記レベル検出部で検出される前記増幅対象となる信号のレベルと、当該レベルの信号の振幅を変換する際に用いる振幅変換値とを対応付けるテーブル又は数式を記憶する記憶部を備え、
前記電源制御部は、前記レベル検出部で検出される前記増幅対象となる信号のレベルと、電源電圧を制御する際に用いる電源制御値とを対応付けるテーブル又は数式を記憶する記憶部を備える、
ことを特徴とする増幅装置。【００４３】
（構成例１４：例えば、図７に対応）
（構成例１３）に記載の増幅装置において、
前記振幅制御部の記憶部は、当該増幅装置のゲインが前記増幅対象となる信号のレベルによらず一定となるように前記対応付けを記憶し、
前記電源制御部の記憶部は、前記増幅対象となる信号のレベルに対して前記増幅器の電力効率を最大化するように前記対応付けを記憶する、
ことを特徴とする増幅装置。【００４４】
（構成例１５：例えば、図６、図７に対応）
（構成例１３）に記載の増幅装置において、
前記増幅対象となる信号と前記増幅器から出力される信号に基づいて、前記増幅対象となる信号のレベル毎に当該増幅装置のゲインを検出するゲイン検出部と、
前記振幅制御部の記憶部に記憶される前記振幅制御値の対応付け、及び前記電源制御部の記憶部に記憶される前記電源制御値の対応付けを、当該増幅装置のゲインが目標とするゲインに近づくように、前記増幅対象となる信号のレベル毎に更新する更新処理部とを備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部の記憶部に記憶される対応付けを更新する処理よりも、前記電源制御部の記憶部に記憶される対応付けを前記電源部の電源電圧が小さくなる方向に更新する処理を優先して行い、
前記目標となるゲインよりも検出されたゲインが低い場合は、前記電源制御部の記憶部に記憶される対応付けを更新する処理よりも、前記振幅制御部の記憶部に記憶される対応付けを前記増幅対象となる信号の振幅が大きくなる方向に更新する処理を優先して行う、
ことを特徴とする増幅装置。【００４５】
（構成例１６：例えば、図１、図５、図６に対応）
増幅対象となる信号を増幅する増幅装置において、
信号を増幅する増幅器と、
前記増幅器の電源部と、
前記増幅対象となる信号の振幅を当該信号のレベルに対応付けられた振幅に変換し、当該変換した信号を前記増幅器へ出力する振幅制御部と、
前記電源部の電源電圧を前記振幅制御部で振幅が変換された信号のレベルに対応付けられた電源電圧に制御する電源制御部と、
前記増幅対象となる信号と前記増幅器から出力される信号に基づいて、前記増幅対象となる信号のレベル毎に当該増幅装置のゲインを検出するゲイン検出部と、
前記振幅制御部における前記増幅対象となる信号の振幅を変換する対応付け、及び前記電源制御部における電源電圧を制御する対応付けを、当該増幅装置のゲインが目標とするゲインに近づくように、前記増幅対象となる信号のレベル毎に更新する更新処理部とを備え、
前記更新制御部は、前記ゲイン検出部により検出された前記増幅対象となる信号のレベル毎のゲインと、前記目標とするゲインとを比較して、
前記目標とするゲインよりも検出されたゲインが高い場合は、前記振幅制御部における前記増幅対象となる信号の振幅を変換する対応付けを更新する処理よりも、前記電源制御部における電源電圧を制御する対応付けを前記電源電圧が小さくなる方向に更新する処理を優先して行い、
前記目標となるゲインよりも検出されたゲインが低い場合は、前記電源制御部における電源電圧を制御する対応付けを更新する処理よりも、前記振幅制御部における前記増幅対象となる信号の振幅を変換する対応付けを前記増幅対象となる信号の振幅が大きくなる方向に更新する処理を優先して行う、
ことを特徴とする増幅装置。【００４６】
（構成例１７：例えば、図５に対応）
（構成例１６）に記載の増幅装置において、
前記振幅制御部は、前記増幅対象となる信号のレベルと、当該レベルの信号の振幅を変換する際に用いる振幅変換値とを対応付けるテーブル又は数式を記憶する記憶部を備え、
前記電源制御部は、前記振幅制御部で振幅が変換された信号のレベルと、電源電圧を制御する際に用いる電源制御値とを対応付けるテーブル又は数式を記憶する記憶部を備える、
ことを特徴とする増幅装置。
【発明の効果】
【００４７】
以上説明したように、本発明に係る増幅装置によると、増幅器の電力効率向上を図ることができる。
【図面の簡単な説明】
【００４８】
【図１】本発明の第１実施例に係る増幅装置の構成例を示す図である。
【図２】実施例に係る増幅器の特性として、（ａ）はゲイン特性の一例を示す図であり、（ｂ）は入出力特性の一例を示す図であり、（ｃ）は電力効率特性の一例を示す図である。
【図３】振幅変換値の一例を示す図である。
【図４】電源制御値の一例を示す図である。
【図５】本発明の第２実施例に係る増幅装置の構成例を示す図である。
【図６】装置制御部により行われる処理の手順の一例を示すフローチャートの図である。
【図７】本発明の第３実施例に係る増幅装置の構成例を示す図である。
【図８】本発明の第４実施例に係る増幅装置の構成例を示す図である。
【図９】ＥＴ方式の増幅装置の構成例を示す図である。
【図１０】ＥＥＲ方式の増幅装置の構成例を示す図である。
【図１１】従来方式（固定電圧）とＥＴ方式／ＥＥＲ方式との比較例を示す図である。
【図１２】デジタル方式を採用したＥＴ方式又はＥＥＲ方式の増幅装置の構成例を示す図である。
【図１３】（ａ）、（ｂ）はＥＴ用増幅器についての特性の例を示す図であり、（ｃ）、（ｄ）はＥＥＲ用増幅器についての特性の例を示す図である。
【図１４】一般的な増幅器の特性として、（ａ）はゲイン特性の一例を示す図であり、（ｂ）は入出力特性の一例を示す図であり、（ｃ）は電力効率特性の一例を示す図である。
【発明を実施するための形態】
【００４９】
本発明に係る実施例を図面を参照して説明する。
【実施例１】
【００５０】
本発明の第１実施例を説明する。
図１には、本発明の一実施例に係る増幅装置（本例では、電力増幅装置）の構成例を示してある。本例の増幅装置は、一例として、無線通信システムにおける基地局装置の送信機に適用され、送信対象となる信号を入力信号とする。
本例の増幅装置は、振幅制御ユニット１、Ｉ相に対応したＤ／Ａ変換器２、Ｑ相に対応したＤ／Ａ変換器３、直交変調部４、電力増幅部（ＰＡ）５、電源制御ユニット６、Ｄ／Ａ変換器７、ＰＡ電源部８、装置制御ユニット９を備えている。【００５１】
ここで、本例の増幅装置におけるＩ相に対応したＤ／Ａ変換器２、Ｑ相に対応したＤ／Ａ変換器３、直交変調部４、電力増幅部（ＰＡ）５、Ｄ／Ａ変換器７、ＰＡ電源部８としては、例えば、図１２に示される増幅装置における対応する処理部１２２、１２３、１２４、１２５、１２７、１２８と同様な構成及び動作を用いることができる。【００５２】
本例の増幅装置において行われる動作の例を示す。
入力信号はＩ相及びＱ相のデジタル信号Ｉ（ｔ）、Ｑ（ｔ）である。ｔは時間を表す。
振幅制御ユニット１は、入力信号に対して振幅制御を行う。具体的には、振幅制御ユニット１は、入力信号の振幅を検出し、検出した振幅に応じて入力信号の振幅を変換する機能を有しており、変換後の振幅を持つ信号（Ｉ相及びＱ相）を電源制御ユニット６へ出力し、変換後の振幅を持つ信号のＩ相成分をＤ／Ａ変換器２へ出力し、変換後の振幅を持つ信号のＱ相成分をＤ／Ａ変換器３へ出力し、また、検出した振幅の信号を装置制御ユニット９へ出力する。
ここで、入力信号の振幅（本例では、瞬時振幅Ｅｎｖ（ｔ））は、（式１）により求められる。【００５３】
Ｉ相に対応したＤ／Ａ変換器２は、振幅制御ユニット１から入力されたＩ相成分の信号をデジタル信号からアナログ信号へ変換して直交変調部４へ出力する。
Ｑ相に対応したＤ／Ａ変換器３は、振幅制御ユニット１から入力されたＱ相成分の信号をデジタル信号からアナログ信号へ変換して直交変調部４へ出力する。
直交変調部４は、２個のＤ／Ａ変換器２、３から入力された信号を直交変調し、その結果の信号をＰＡ５へ出力する。
ＰＡ５は、直交変調部４から入力された信号を増幅（本例では、電力増幅）して出力する。ＰＡ５からの出力信号（増幅信号）の一部が方向性結合器等により取得されてフィードバック信号として装置制御ユニット９に入力される。【００５４】
ここで、振幅制御ユニット１における振幅の変換について説明する。
図２（ａ）、（ｂ）、（ｃ）では、本例の増幅器（ＰＡ５）の特性として、図２（ａ）にゲイン特性の一例を示してあり、図２（ｂ）に入出力特性の一例を示してあり、図２（ｃ）に電力効率特性の一例を示してある。
ゲイン特性のグラフでは、横軸は増幅器の入力電力（或いは、入力振幅）Ｐｉｎ［ｄＢ］を表しており、縦軸はゲイン（Ｇａｉｎ）［ｄＢ］を表している。
入出力特性のグラフでは、横軸は増幅器の入力電力（或いは、入力振幅）Ｐｉｎ［ｄＢ］を表しており、縦軸は増幅器の出力電力（或いは、出力振幅）Ｐｏｕｔ［ｄＢ］を表している。
電力効率特性のグラフでは、横軸は増幅器の入力電力（或いは、入力振幅）Ｐｉｎ［ｄＢ］を表しており、縦軸は電力効率ηを表している。【００５５】
また、ゲイン特性、入出力特性及び電力効率特性では、増幅器の電源電圧ＶＤＤを最大値ＶＤＤＭＡＸから最小値ＶＤＤＭＩＮまで変化させた場合における複数の特性を示してある（ここで、ＶＤＤＭＡＸ＞ＶＤＤＭＩＮ）。
図２（ａ）、（ｂ）、（ｃ）に示されるように、本例の増幅装置では、増幅器（ＰＡ５）への入力信号の電力（振幅）に対して、好ましい一例として、点線で示した軌跡を描くような特性となるように調整する。【００５６】
振幅制御ユニット１における振幅の変換に関して、好ましい対応付けの形態としては、図２（ａ）、（ｂ）に示されるように増幅器（ＰＡ５）のゲインが一定でないため、振幅変換前の信号に対するＰＡ５の出力信号のゲインが一定となるように振幅を変換することが考えられる。つまり、本例の増幅装置としてのゲインが一定となるように、増幅装置への入力信号の振幅を変換する。
本例では、振幅制御ユニット１と電源制御ユニット６とを合わせてゲインを一定にすることを特徴とする。【００５７】
図３には、振幅制御ユニット１で用いられる振幅変換値の一例を示してある。
具体的には、グラフの横軸は参照される振幅（或いは、電力）Ｐ１を表しており、縦軸は振幅変換値を表している。
なお、図３に示される振幅変換値に関する対応付けは、例えば、振幅制御ユニット１における振幅制御部（一実施例では、図５に示される振幅制御部１２）でメモリに記憶されて用いられ、参照される振幅（或いは、電力）Ｐ１は振幅制御部へ入力される振幅（或いは、電力）の情報となる。
本例では、図３に示される振幅変換値に関する対応付けにより、振幅変換の機能を実現する。【００５８】
電源制御ユニット６は、振幅制御ユニット１からの入力信号の振幅を検出し、検出した振幅に応じてＰＡ５に与える電源電圧ＶＤＤの電源制御値をＤ／Ａ変換器７へ出力する。
Ｄ／Ａ変換器７は、電源制御ユニット６から入力された電源制御値をデジタル信号からアナログ信号へ変換してＰＡ電源部８へ出力する。
ＰＡ電源部８は、電源制御ユニット６からＤ／Ａ変換器７を介して入力された電源制御値に応じて、ＰＡ５に与える電源電圧の大きさを制御する。本例では、電源制御値が大きい方が、ＰＡ電源部８からＰＡ５に与えられる電源電圧が大きいとする。【００５９】
ここで、電源制御ユニット６における電源制御値について説明する。
例えば、図１２に示される従来方式の増幅装置では振幅検出部１２６が検出した振幅に比例した電源電圧ＶＤＤの電源制御値をＤ／Ａ変換器１２７へ出力するのに対して、本例の電源制御ユニット６では非線形の値を対応付けることを特徴とする。【００６０】
電源制御ユニット６における電源制御値に関して、好ましい対応付けの形態としては、図２（ｃ）に示される電力効率特性で電力効率が高く、且つ、図２（ａ）に示されるゲイン特性及び図２（ｂ）に示される入出力特性でゲイン及び出力電力が安定している領域で動作するように電源電圧ＶＤＤを与えることが考えられる。一例として、図２（ａ）、（ｂ）、（ｃ）で点線により示されるように増幅器を動作させる。【００６１】
図４には、電源制御ユニット６で用いられる電源制御値の一例を示してある。
具体的には、グラフの横軸は参照される振幅（或いは、電力）Ｐ２を表しており、縦軸は電源制御値を表している。
なお、図４に示される電源制御値に関する対応付けは、例えば、電源制御ユニット６における電源制御部（一実施例では、図５に示される電源制御部２２）でメモリに記憶されて用いられ、参照される振幅（或いは、電力）Ｐ２は電源制御部へ入力される振幅（或いは、電力）の情報となる。
本例では、図４に示される電源制御値に関する対応付けにより、電源制御の機能を実現する。【００６２】
装置制御ユニット９は、振幅制御ユニット１において記憶される（入力信号の振幅（或いは、電力）対振幅変換値）の対応付けや、電源制御ユニット６において記憶される（入力信号の振幅（或いは、電力）対電源制御値）の対応付けを適応制御する機能を有している。本例では、装置制御ユニット９は、ＰＡ５からの出力信号の一部をフィードバックした信号と振幅制御ユニット１からの振幅の信号に基づいて、ゲイン及び電力効率を、例えば常に良好に保つように、制御する。【００６３】
なお、無線周波数によっては、通常、周波数変換器（アップコンバータ）が、直交変調部４とＰＡ５との間に備えられるが、図１では図示を省略している。
同様に、無線周波数によっては、通常、周波数変換器（ダウンコンバータ）が、ＰＡ５と装置制御ユニット９との間に備えられるが、図１では図示を省略している。
また、本例では、装置制御ユニット９へのフィードバック信号に関して、アナログ部又はデジタル部で用いられる直交検波部（一実施例では、図５に示されるデジタルの直交検波部３２）が備えられ、図１では図示を省略している。【００６４】
また、本例では、アナログ直交変調の例を示しているが、デジタル直交変調を行う場合には、振幅制御ユニット１とＤ／Ａ変換器２、３との間（Ｄ／Ａ変換器２、３の前段）にデジタルの直交変調部を備え、これら２個のＤ／Ａ変換器２、３の代わりに１個のＤ／Ａ変換器とし、また、アナログの直交変調部４は不要であるため備えない。【００６５】
以上のように、本例の増幅装置では、入力信号の振幅（或いは、電力）に対応して当該入力信号の振幅を変換する振幅制御ユニット１と、当該変換された振幅（或いは、電力）に対応して電力増幅器（ＰＡ５）の電源電圧を制御する電源制御ユニット６と、を備えた。
また、本例の増幅装置では、振幅制御ユニット１の出力信号をアナログ信号へ変換するＤ／Ａ変換器２、３と、当該Ｄ／Ａ変換器２、３の出力信号を直交変調する直交変調器からなる直交変調部４と、当該直交変調部４の出力信号の電力を増幅する電力増幅器からなるＰＡ５と、電源制御ユニット６の出力信号をアナログ信号へ変換するＤ／Ａ変換器７と、アナログ信号に変換された電源制御ユニット６の出力信号に応じてＰＡ５（電力増幅器）に電源電圧を与えるＰＡ電源部８と、を備えた。【００６６】
また、本例の増幅装置では、振幅制御ユニット１において振幅を変換する対応付けは、増幅装置のゲインが入力信号の振幅によらず一定となるように振幅を変換するような関係（又は、それに近くするような関係）とする。
また、本例の増幅装置では、電源制御ユニット６において電源電圧を制御する対応付けは、入力信号の振幅に対して電力増幅器（ＰＡ５）の電力効率を最大化するように電源電圧を制御するような関係（又は、それに近くするような関係）とする。
また、本例の増幅装置では、振幅制御ユニット１における対応付け又は電源制御ユニット６における対応付けの少なくとも一方を制御（例えば、適応制御）する装置制御ユニット９を備えた。【００６７】
従って、本例の増幅装置では、例えば振幅変調型ＥＴ電力増幅装置のような構成において、電力増幅器（ＰＡ５）の高効率化を実現することができ、一例として、複雑なＰＡの調整を不要とし、且つ、電力効率を最大化する電力増幅装置の実現を可能とする。
本例の増幅装置では、図２（ａ）、（ｂ）、（ｃ）に点線で示されるような増幅器が安定している領域で動作し、且つ、電力効率を最大化することが可能となる。また、本例の増幅装置では、増幅装置のゲインを一定にすることができる。
また、本例の増幅装置では、フィードバック制御により、装置の動作（例えば、振幅変換値や電源制御値）を良好に保つことができる。【００６８】
なお、本例の図１に示される増幅装置では、ＰＡ５の増幅器で信号を増幅する場合に、振幅制御ユニット１の機能によりレベル制御手段が構成されており、電源制御ユニット６の機能（更に、ＰＡ電源部８の機能が含められてもよい）により電源制御手段が構成されている。
【実施例２】
【００６９】
本発明の第２実施例を説明する。
図５には、本発明の一実施例に係る増幅装置の構成例を示してある。
本例の増幅装置の概略的な構成及び動作は、図１に示される増幅装置と同様であり、本例では、振幅制御ユニット１、電源制御ユニット６、装置制御ユニット９の詳細な例を示す。
なお、図５では、直交変調部４、ＰＡ５、ＰＡ電源部８については、図示を省略している。【００７０】
振幅制御ユニット１は、振幅検出部１１、振幅制御部１２、振幅変換部１３を備えている。
電源制御ユニット６は、振幅検出部２１、電源制御部２２を備えている。
装置制御ユニット９は、Ａ／Ｄ（Ａｎａｌｏｇ  ｔｏ  Ｄｉｇｉｔａｌ）変換器３１、直交検波部３２、ゲイン検出部３３、装置制御部３４を備えている。【００７１】
振幅制御ユニット１について説明する。
振幅制御ユニット１の入力信号はＩ相及びＱ相のデジタル信号Ｉ（ｔ）、Ｑ（ｔ）である。
振幅検出部１１は、例えば従来例に係るものと同様に、入力信号Ｉ（ｔ）、Ｑ（ｔ）に対して（式１）を用いて瞬時振幅Ｅｎｖ（ｔ）を求める。また、振幅検出部１１は、求めた振幅の信号を振幅制御部１２及び装置制御ユニット９のゲイン検出部３３へ出力する。【００７２】
振幅制御部１２は、図３に示されるような振幅変換値に関する情報を保持しており、振幅検出部１１により検出された瞬時振幅Ｅｎｖ（ｔ）に応じた振幅変換値を振幅変換部１３へ出力する。
振幅変換部１３は、振幅制御部１２から入力された振幅変換値に基づいて、入力信号Ｉ（ｔ）、Ｑ（ｔ）の振幅を変換し、当該変換後の信号をＤ／Ａ変換器２、３及び電源制御ユニット６の振幅検出部２１へ出力する。【００７３】
ここで、振幅制御部１２は、一例として、瞬時振幅Ｅｎｖ（ｔ）（図３に示されるＰ１）を参照アドレスとしてメモリ（例えば、ルックアップテーブル（ＬＵＴ））に記憶された振幅変換値を出力し、また、他の例として、瞬時振幅Ｅｎｖ（ｔ）（図３に示されるＰ１）を変数とした近似式によって振幅変換値を計算して出力する。
また、振幅変換部１３において、振幅変換値に基づいて入力信号Ｉ（ｔ）、Ｑ（ｔ）の振幅を変換する態様としては、本例では、振幅変換値を入力信号Ｉ（ｔ）、Ｑ（ｔ）に乗算する態様を用いており、一例として、Ｉ相及びＱ相で個別に乗算器を備え、それぞれの信号に振幅変換値を乗算する。【００７４】
電源制御ユニット６について説明する。
電源制御ユニット６の入力信号はＩ相及びＱ相のデジタル信号Ｉ１（ｔ）、Ｑ１（ｔ）である。
振幅検出部２１は、例えば従来例に係るものと同様に、入力信号Ｉ１（ｔ）、Ｑ１（ｔ）に対して（式１）を用いて瞬時振幅Ｅｎｖ１（ｔ）を求める。また、振幅検出部２１は、求めた振幅の信号を電源制御部２２へ出力する。【００７５】
電源制御部２２は、図４に示されるような電源制御値に関する情報を保持しており、振幅検出部２１により検出された瞬時振幅Ｅｎｖ１（ｔ）に応じたＰＡ５に与える電源電圧ＶＤＤの電源制御値をＤ／Ａ変換器７へ出力する。
ここで、電源制御部２２は、一例として、瞬時振幅Ｅｎｖ１（ｔ）（図４に示されるＰ２）を参照アドレスとしてメモリ（例えば、ルックアップテーブル（ＬＵＴ））に記憶された電源制御値を出力し、また、他の例として、瞬時振幅Ｅｎｖ１（ｔ）（図４に示されるＰ２）を変数とした近似式によって電源制御値を計算して出力する。【００７６】
装置制御ユニット９について説明する。
ＰＡ５の出力信号の一部をフィードバックした信号はＡ／Ｄ変換器３１に入力される。
Ａ／Ｄ変換器３１は、入力された信号（フィードバック信号）をアナログ信号からデジタル信号へ変換して直交検波部３２へ出力する。
直交検波部３２は、Ａ／Ｄ変換器３１から入力された信号を直交検波して、その結果の信号をゲイン検出部３３へ出力する。【００７７】
ゲイン検出部３３は、例えば（式１）を用いて、直交検波部３２から入力された信号（フィードバック側からの信号）の瞬時振幅ＦＢ（ｔ）を検出する機能を有しており、また、振幅制御ユニット１の振幅検出部１１から検出された振幅の信号（入力信号の瞬時振幅Ｅｎｖ（ｔ）の情報）を入力する。
また、ゲイン検出部３３は、振幅検出部１１により検出された入力信号の瞬時振幅Ｅｎｖ（ｔ）とフィードバック側の信号の瞬時振幅ＦＢ（ｔ）から、入力信号の瞬時振幅Ｅｎｖ（ｔ）毎のゲインＧａｉｎ（Ｅｎｖ（ｔ））を（式５）により検出し、その結果を装置制御部３４へ出力する。
【数５】
0005446021.tif 000006
【００７８】
ここで、（式５）において、ＧａｉｎはＥｎｖ（ｔ）の関数であり、ＦＢ（ｔ）は直交検波したフィードバック信号のＩ相、Ｑ相の信号を用いて（式１）のＥｎｖ（ｔ）と同様に求められる。
装置制御部３４は、本例では、ゲイン検出部３３により検出されるゲインＧａｉｎ（Ｅｎｖ（ｔ））が一定となるように、振幅制御ユニット１の振幅制御部１２に保持された対応付けや、電源制御ユニット６の電源制御部２２に保持された対応付けを適応制御する。この適応制御では、一例として、対応付けを最適化するように対応付けの内容（例えば、対応付けのための値や、対応付けのための式の係数など）を計算し、その計算結果で対応付けを更新する。【００７９】
なお、本例では、装置制御部３４は、振幅制御ユニット１の振幅制御部１２に保持された対応付けと、電源制御ユニット６の電源制御部２２に保持された対応付けの両方を制御するが、いずれか一方のみを制御する構成が用いられてもよい。【００８０】
図６には、装置制御部３４により行われる処理の手順の一例を示してある。この処理は、例えば、装置制御部３４に設定された適応アルゴリズムにより実行される。
まず、図６のフローチャートで使用する記号について説明する。
振幅Ｅは、図２（ａ）に示される増幅器の入力電力（或いは、入力振幅）Ｐｉｎに対応する振幅に相当する。
Ｇ（Ｅ）Ｎｏｗは、今回（更新後）の振幅Ｅのときにおけるゲインを表す。
Ｇ（Ｅ）Ｏｌｄは、前回（更新前）の振幅Ｅのときにおけるゲインを表す。
ＴＧは、ターゲットゲインを表す。ターゲットゲインＴＧは、ゲインの目標値であり、最大電力（最大振幅）の出力電力を得るために必要なゲインとすることが望ましい。
Ｖ（Ｅ）は、振幅Ｅのときにおける電源制御値を表す。
Ａ（Ｅ）は、振幅Ｅのときにおける振幅変換値を表す。
ＳＶは、電源制御値の更新のステップサイズを表す。
ＳＡは、振幅変換値の更新のステップサイズを表す。
ここで、電源制御値の更新ステップサイズＳＶ及び振幅変換値の更新ステップサイズＳＡは、それぞれ、正の値とする。【００８１】
次に、図６のフローチャートの流れを説明する。
本例では、ステップＳ２〜ステップＳ１０の処理を繰り返して行う（ステップＳ１、ステップＳ１１）。
まず、Ｇ（Ｅ）ＮｏｗからＴＧを減算した結果をＤｉｆｆ１に代入し、また、Ｇ（Ｅ）ＮｏｗからＧ（Ｅ）Ｏｌｄを減算した結果をＤｉｆｆ２に代入する（ステップＳ２）。【００８２】
次に、Ｄｉｆｆ１が正又は０であるか否かを判定し（ステップＳ３）、Ｄｉｆｆ１が正又は０であると判定した場合にはステップＳ４の処理へ移行する一方、Ｄｉｆｆ１が負であると判定した場合にはステップＳ５の処理へ移行する。
なお、他の構成例として、Ｄｉｆｆ１が正であるか否かを判定し（ステップＳ３）、Ｄｉｆｆ１が正であると判定した場合にはステップＳ４の処理へ移行する一方、Ｄｉｆｆ１が負又は０であると判定した場合にはステップＳ５の処理へ移行する、構成とすることもできる。【００８３】
ステップＳ４の処理では、Ｄｉｆｆ２が負であるか否かを判定し（ステップＳ４）、Ｄｉｆｆ２が負であると判定した場合にはＶ（Ｅ）からＳｖを減算してＶ（Ｅ）を更新する一方（ステップＳ６）、Ｄｉｆｆ２が正又は０であると判定した場合にはＡ（Ｅ）からＳＡを減算してＡ（Ｅ）を更新する（ステップＳ７）。
ステップＳ５の処理では、Ｄｉｆｆ２が正であるか否かを判定し（ステップＳ５）、Ｄｉｆｆ２が正であると判定した場合にはＡ（Ｅ）にＳＡを加算してＡ（Ｅ）を更新する一方（ステップＳ８）、Ｄｉｆｆ２が負又は０であると判定した場合にはＶ（Ｅ）にＳｖを加算してＶ（Ｅ）を更新する（ステップＳ９）。
そして、ステップＳ６〜ステップＳ９のいずれかの処理が行われた後に、Ｇ（Ｅ）ＮｏｗをＧ（Ｅ）Ｏｌｄに代入して（ステップＳ１０）、本処理を繰り返す。【００８４】
このように、本例では、今回（更新後）の振幅ＥのゲインＧ（Ｅ）ＮｏｗとターゲットゲインＴＧとの大小関係Ｄｉｆｆ１による２状態と、今回（更新後）の振幅ＥのゲインＧ（Ｅ）Ｎｏｗと前回（更新前）の振幅ＥのゲインＧ（Ｅ）Ｏｌｄとの大小関係Ｄｉｆｆ２による２状態との組み合わせの４種類の処理（ステップＳ６〜ステップＳ９）に分けられている。
そして、本例では、フローに従って、電源制御値Ｖ（Ｅ）又は振幅変換値Ａ（Ｅ）の更新を繰り返して行い、この適応アルゴリズムによりゲイン（Ｇ（Ｅ）Ｎｏｗ）が一定となる。また、本例では、電源電圧を小さくすることを優先しており、飽和に近い状態で動作するため、電力効率は最大化される。【００８５】
ここで、ステップＳ６の処理及びステップＳ７の処理では、概略的には、ゲインＧ（Ｅ）ＮｏｗがターゲットゲインＴＧより大きい場合に減らすときには、基本的には電源制御値Ｖ（Ｅ）を減らすことで電源電圧を減らして消費電力を減らし、電源制御値Ｖ（Ｅ）を減らしてもゲインＧ（Ｅ）Ｎｏｗがあまり変わらなくなったら振幅変換値Ａ（Ｅ）を減らして入力信号の振幅を制御する。
また、ステップＳ８の処理及びステップＳ９の処理では、概略的には、ゲインＧ（Ｅ）ＮｏｗがターゲットゲインＴＧより小さい場合に増やすときには、基本的には振幅変換値Ａ（Ｅ）を増やして入力信号の振幅を制御して消費電力を上げないようにし、振幅変換値Ａ（Ｅ）を増やしてもゲインＧ（Ｅ）Ｎｏｗがあまり変わらなくなったら電源制御値Ｖ（Ｅ）を増やすことで電源電圧を増やす。【００８６】
また、電源制御値の更新ステップサイズＳＶや、振幅変換値の更新ステップサイズＳＡとしては、それぞれ、固定的な値が用いられてもよく、或いは、可変な値が用いられてもよい。
例えば、これらのステップサイズＳＶ、ＳＡの大きさを収束時間とゲインの精度によって設計する。ステップサイズが大きい場合には、収束時間が短く、ゲインの精度が粗くなる。一方、ステップサイズが小さい場合には、収束時間が長く、ゲインの精度が良くなる。
一例として、図６に示される処理の繰り返し回数が所定の回数より大きくなった場合や、或いは、Ｄｉｆｆ１が所定の値よりも小さくなった場合に、ステップサイズを小さくすることによって、初期収束を高速にし、且つ、ゲインの精度を向上することができる。【００８７】
また、他の一例として、図６のフローにおいて、Ｄｉｆｆ１が０であると判定した場合には（ステップＳ３）、その後の処理（ステップＳ４〜ステップＳ１０の処理）を行わずに、ステップＳ１１へ迂回するような構成とすることもできる。なお、本例では、Ｄｉｆｆ１が０であると判定した場合には（ステップＳ３）、「＋（正）」又は「−（負）」であると判定した場合に入れている。
また、本例では、ステップＳ４の処理及びステップＳ５の処理で、Ｄｉｆｆ２の分岐基準を０としたが、０以外の値を分岐基準とすることも可能である。【００８８】
以上のように、本例の増幅装置では、振幅制御ユニット１は、入力信号の振幅を検出する振幅検出部１１と、当該検出された振幅に対応した振幅変換値を出力する振幅制御部１２と、当該振幅変換値をもとに前記入力信号の振幅を変換する振幅変換部１３と、を備えた。
また、本例の増幅装置では、電源制御ユニット６は、振幅制御ユニット１からの入力信号の振幅を検出する振幅検出部２１と、当該検出された振幅に対応した電源制御値を出力する電源制御部２２と、を備えた。【００８９】
また、本例の増幅装置では、装置制御ユニット９は、増幅器（ＰＡ５）からのフィードバック信号をデジタル信号に変換するＡ／Ｄ変換器３１と、当該デジタル信号を直交検波する直交検波部３２と、入力側の信号とフィードバック側の信号とから増幅装置のゲインを検出するゲイン検出部３３と、振幅制御部１２の対応付け又は電源制御部２２の対応付けの少なくとも一方を更新する装置制御部３４と、を備えた。【００９０】
また、本例の増幅装置では、装置制御部３４により行われる適応制御方法では、ゲイン検出部３３で検出したゲインと目標とするゲインとを比較して、目標とするゲインよりも検出したゲインが高い場合には、増幅器の電源電圧を小さくする方向に該当する入力信号の振幅と電源制御値との対応付けを更新することを優先にして、次に振幅を小さくする方向に該当する入力信号の振幅と振幅変換値との対応付けを更新し、また、目標とするゲインよりも検出したゲインが低い場合には、振幅を大きくする方向に該当する入力信号の振幅と振幅変換値との対応付けを更新することを優先にして、次に増幅器の電源電圧を大きくする方向に該当する入力信号の振幅と電源制御値との対応付けを更新する。【００９１】
なお、本例の図５に示される増幅装置では、振幅制御ユニット１が有する振幅検出部１１、振幅制御部１２、振幅変換部１３の機能によりレベル制御手段が構成されており、電源制御ユニット６が有する振幅検出部２１、電源制御部２２の機能（更に、ＰＡ電源部８の機能が含められてもよい）により電源制御手段が構成されている。
また、本例の図５に示される増幅装置では、ゲイン検出部３３の機能によりゲイン検出手段が構成されており、装置制御部３４の機能により更新手段が構成されている。
【実施例３】
【００９２】
本発明の第３実施例を説明する。
図７には、本発明の一実施例に係る増幅装置の構成例を示してある。
本例の増幅装置の構成や動作は、振幅制御ユニット４１及び電源制御ユニット４２に関する部分を除いて、図５に示される増幅装置と同様である。
概略的には、本例の増幅装置では、図５に示される増幅装置における振幅制御ユニット１の振幅検出部１１と電源制御ユニット６の振幅検出部２１を共通化している。【００９３】
本例の振幅制御ユニット４１は、電源制御ユニット４２と共通化した振幅検出部５１、振幅制御部１２、振幅変換部１３を備えている。
本例の電源制御ユニット４２は、振幅制御ユニット４１と共通化した振幅検出部５１、電源制御部５２を備えている。
ここで、振幅制御ユニット４１の振幅制御部１２及び振幅変換部１３の構成や動作については、図５に示される増幅装置と同様である。【００９４】
本例の増幅装置において行われる動作の例を示す。なお、本例では、図５に示される増幅装置とは異なる点について説明する。
振幅検出部５１は、例えば従来例に係るものと同様に、入力信号Ｉ（ｔ）、Ｑ（ｔ）に対して（式１）を用いて瞬時振幅Ｅｎｖ（ｔ）を求める。また、振幅検出部５１は、求めた振幅の信号を振幅制御部１２、装置制御ユニット９のゲイン検出部３３、及び電源制御部５２へ出力する。
なお、本例の振幅検出部５１の機能は、出力先が異なる点を除いて、図５に示される振幅検出部１１の機能と同様である。【００９５】
電源制御部５２は、振幅検出部５１により検出された瞬時振幅Ｅｎｖ１（ｔ）に応じたＰＡ５に与える電源電圧ＶＤＤの電源制御値をＤ／Ａ変換器７へ出力する。
ここで、本例の電源制御部５２は、図３に示されるような振幅変換値に関する情報と、図４に示されるような電源制御値に関する情報を、それぞれ別個に或いは両方をまとめた形（例えば、１つの対応付け）で、保持しており、そして、図５に示される電源制御部２２と比べて、増幅装置への入力信号の各振幅に対する電源制御値が等しくなるように、入力に応じた電源制御値の出力を行う。つまり、図５の例では、振幅変換後の振幅の信号が電源制御部２２に入力されるのに対して、本例では、振幅変換前の振幅の信号が電源制御部５２に入力されるため、電源制御部５２では、振幅変換についても考慮した形で、出力する電源制御値を決定する。【００９６】
なお、上述のように、本例の電源制御部５２に入力される瞬時振幅Ｅｎｖ（ｔ）は図５に示される場合とは異なるが、図３に示されるように図５において振幅検出部２１の入力信号は振幅検出部１１の入力信号の写像（１対１）であるため、本例の電源制御ユニット４２は図５に示される場合と同様な機能を実現できる。【００９７】
本例の増幅装置と図５に示される増幅装置について、効果を比較する。
本例の増幅装置では、振幅制御ユニット４１と電源制御ユニット４２で振幅検出部５１を共通化して回路規模を小さくすることができるが、図３に示されるような振幅制御部１２の対応付けを変更した場合には、電源制御部５２の対応付け（例えば、図４に示されるような対応付け）の変更が必要となる。
一方、図５に示される増幅装置では、図３に示されるような振幅制御部１２の対応付けと図４に示されるような電源制御部２２の対応付けが独立しているが、本例と比べて、回路規模が比較的大きくなると考えられる。【００９８】
なお、本例の図７に示される増幅装置では、振幅制御ユニット４１が有する振幅検出部５１、振幅制御部１２、振幅変換部１３の機能によりレベル制御手段が構成されており、電源制御ユニット４２が有する振幅検出部５１、電源制御部５２の機能（更に、ＰＡ電源部８の機能が含められてもよい）により電源制御手段が構成されている。
また、本例の図７に示される増幅装置では、ゲイン検出部３３の機能によりゲイン検出手段が構成されており、装置制御部３４の機能により更新手段が構成されている。
【実施例４】
【００９９】
本発明の第４実施例を説明する。
図８には、本発明の一実施例に係る増幅装置の構成例を示してある。
本例の増幅装置の構成や動作は、図５に示される増幅装置に対して、図５に示される振幅制御ユニット１の代わりに振幅／位相制御ユニット６１を備えているとともに、図５に示される装置制御ユニット９とは異なる機能を有する装置制御ユニット６２を備えている点を除いて、図５に示される増幅装置と同様である。
概略的には、本例の増幅装置は、図５に示される増幅装置に、通過位相を一定にする機能を追加した構成となっている。【０１００】
本例の振幅／位相制御ユニット６１は、振幅検出部１１、振幅／位相制御部７１、振幅／位相変換部７２を備えている。
本例の装置制御ユニット６２は、Ａ／Ｄ変換器３１、直交検波部３２、ゲイン／位相検出部８１、装置制御部８２を備えている。
ここで、振幅／位相制御ユニット６１の振幅検出部１１（本例では、出力先は振幅／位相制御部７１）、装置制御ユニット６１のＡ／Ｄ変換器３１及び直交検波部３２（本例では、出力先はゲイン／位相検出部８１）の概略的な構成や動作については、図５に示される増幅装置と同様である。【０１０１】
本例の増幅装置において行われる動作の例を示す。なお、本例では、図５に示される増幅装置とは異なる点について説明する。
振幅／位相制御部７１は、図３に示されるような振幅変換値に関する情報を保持しており、振幅検出部１１により検出された瞬時振幅Ｅｎｖ（ｔ）に応じた振幅変換値を振幅／位相変換部７２へ出力する。これとともに、振幅／位相制御部７１は、位相変換値に関する情報として入力振幅（或いは、入力電力）と位相変換値との対応付けをメモリに記憶して保持しており、振幅検出部１１により検出された瞬時振幅Ｅｎｖ（ｔ）に応じた位相変換値を振幅／位相変換部７２へ出力する。【０１０２】
振幅／位相変換部７２は、振幅／位相制御部７１から入力された振幅変換値及び位相変換値に基づいて、入力信号Ｉ（ｔ）、Ｑ（ｔ）の振幅及び位相を変換し、当該変換後の信号をＤ／Ａ変換器２、３及び電源制御ユニット６の振幅検出部２１へ出力する。
ここで、振幅／位相変換部７２において、振幅変換値及び位相変換値に基づいて入力信号Ｉ（ｔ）、Ｑ（ｔ）の振幅及び位相を変換する態様としては、本例では、振幅変換値及び位相変換値を表す複素信号を入力信号Ｉ（ｔ）、Ｑ（ｔ）に複素乗算する態様を用いており、一例として、複素乗算器を備え、入力信号に振幅変換値及び位相変換値を表す複素信号を乗算する。【０１０３】
ゲイン／位相検出部８１には、増幅装置への入力信号が入力されるとともに、直交検波部３２からフィードバック側の信号が入力される。
ゲイン／位相検出部８１は、例えば（式１）を用いて、増幅装置への入力信号の瞬時振幅Ｅｎｖ（ｔ）を検出する機能や、例えば（式１）を用いて、直交検波部３２から入力された信号（フィードバック側からの信号）の瞬時振幅ＦＢ（ｔ）を検出する機能を有している。
また、ゲイン／位相検出部８１は、増幅装置への入力信号の瞬時振幅Ｅｎｖ（ｔ）とフィードバック側の信号の瞬時振幅ＦＢ（ｔ）から、入力信号の瞬時振幅Ｅｎｖ（ｔ）毎のゲインＧａｉｎ（Ｅｎｖ（ｔ））を（式５）により検出し、その結果を装置制御部８２へ出力する。
これとともに、ゲイン／位相検出部８１は、増幅装置への入力信号と直交検波部３２からのフィードバック側の信号に基づいて、位相の情報（例えば、増幅装置への入力信号とフィードバック信号との位相差の情報）を検出し、その結果を装置制御部８２へ出力する。【０１０４】
装置制御部８２は、本例では、ゲイン／位相検出部８１から通知されるゲインに関する情報及び位相に関する情報に基づいて、ゲインＧａｉｎ（Ｅｎｖ（ｔ））が一定となるように、及び、通過位相が一定となるように、振幅／位相制御ユニット６１の振幅／位相制御部７１に保持された対応付け（振幅変換値に関する対応付け、位相変換値に関する対応付け）や、電源制御ユニット６の電源制御部２２に保持された対応付けを適応制御する。
なお、位相に関しては、例えば、振幅／位相制御ユニット６１の振幅／位相制御部７１に保持された対応付け（位相変換値に関する対応付け）のみが適応制御されればよい。【０１０５】
ここで、振幅及び位相の変換について説明する。
振幅／位相変換部７２は、一例として、複素乗算器を備え、（式６）のように、振幅／位相変換値ＧθＩ（Ｅｎｖ（ｔ））、ＧθＱ（Ｅｎｖ（ｔ））からなる信号を入力信号に乗算する。
【数６】
0005446021.tif 000007
【０１０６】
（式６）において、Ｉ’（ｔ）及びＱ’（ｔ）は振幅／位相変換部７２の出力信号を表しており、Ｉ（ｔ）及びＱ（ｔ）は振幅／位相変換部７２の入力信号を表しており、ｊは虚数を表している。
また、ＧθＩ（Ｅｎｖ（ｔ））及びＧθＱ（Ｅｎｖ（ｔ））は振幅検出部１１からの出力信号Ｅｎｖ（ｔ）の関数であり、（式７）、（式８）の関係が成り立つ。
【数７】
0005446021.tif 000008
【数８】
0005446021.tif 000009
【０１０７】
（式７）及び（式８）において、Ｇａｉｎ’（Ｅｎｖ（ｔ））は振幅変換値を表しており、θＩ（Ｅｎｖ（ｔ））及びθＱ（Ｅｎｖ（ｔ））は位相変換値を表している。
ゲイン／位相検出部８１は、フィードバック信号を直交検波して得られた結果ＩＦＢ（ｔ）、ＱＦＢ（ｔ）を用いて、位相変換値の対応付けを（式９）のように求め、その結果を装置制御部８２へ出力する。
【数９】
0005446021.tif 000010
【０１０８】
（式９）において、（）＊は共役複素数を表しており、また、｜｜は振幅のスカラを表しており、（式１０）を満たすための要素である。
【数１０】
0005446021.tif 000011
【０１０９】
なお、（式９）の左辺に示されるような位相変換値に関する情報を求める方法としては、他の方法が用いられてもよく、他の方法の一例として、入力信号とフィードバック側の信号のそれぞれについて（式２）と同様にして位相を求め、このようにして求めた入力信号の位相とフィードバック側の信号の位相との差分をとり、（式３）及び（式４）において、ＡＦＩＸ＝１とし、θ（ｔ）に前記した位相の差分を用いて、位相変換値に関する情報（本例では、Ｉ’（ｔ）＝θＩ、Ｑ’（ｔ）＝θＱ）を求める方法を用いることができる。
また、本例の図８に示される構成において、例えば、図７に示されるのと同様な構成方法を適用して、振幅／位相制御ユニット６１の振幅検出部１１と電源制御ユニット６の振幅検出部２１を共通化することも可能である。【０１１０】
以上のように、本例の増幅装置では、入力信号の振幅を検出する振幅検出部１１と、当該検出された振幅に対応した振幅変換値及び位相変換値を出力する振幅／位相制御部７１と、当該振幅変換値及び当該位相変換値をもとに前記入力信号の振幅及び位相を変換する振幅／位相変換部７２と、振幅／位相変換部７２からの出力信号の振幅を検出する振幅検出部２１と、当該検出された振幅に対応した電源制御値を出力する電源制御部２２と、増幅器（ＰＡ５）からのフィードバック信号をデジタル信号に変換するＡ／Ｄ変換器３１と、当該デジタル信号を直交検波する直交検波部３２と、前記入力信号とフィードバック側の信号とから増幅装置のゲインや位相の情報を検出するゲイン／位相検出部８１と、振幅／位相制御部７１の対応付け又は電源制御部２２の対応付けの少なくとも一方を更新する装置制御部８２と、を備えた。【０１１１】
従って、本例の増幅装置では、増幅装置の通過位相を一定にすることができる。
ここで、本例では、振幅／位相制御ユニット６１は、デジタルのプリディストータと同様な機能を有するととらえることもでき、例えば、位相の歪を低減させることができる。【０１１２】
なお、本例の図８に示される増幅装置では、振幅／位相制御ユニット６１が有する振幅検出部１１、振幅／位相制御部７１、振幅／位相変換部７２の機能によりレベル制御手段（及び、本例では、位相を制御する手段）が構成されており、電源制御ユニット６が有する振幅検出部２１、電源制御部２２の機能（更に、ＰＡ電源部８の機能が含められてもよい）により電源制御手段が構成されている。
また、本例の図８に示される増幅装置では、ゲイン／位相検出部８１の機能によりゲイン検出手段（及び、本例では、位相に関する情報を検出する手段）が構成されており、装置制御部８２の機能により更新手段（本例では、位相変換値に関する更新を行う手段も含まれる）が構成されている。【０１１３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【０１１４】
１、４１・・振幅制御ユニット、  ２、３、７、１２２、１２３、１２７・・Ｄ／Ａ変換器、  ４、１２４・・直交変調部、  ５、１０１、１２５・・電力増幅部（ＰＡ）、  ６、４２・・電源制御ユニット、  ８、１０３、１２８・・ＰＡ電源部、  ９、６２・・装置制御ユニット、  １１、２１、５１、１０２、１２６・・振幅検出部、  １２・・振幅制御部、  １３・・振幅変換部、  ２２、５２・・電源制御部、  ３１・・Ａ／Ｄ変換器、  ３２・・直交検波部、  ３３・・ゲイン検出部、  ３４、８２・・装置制御部、  ６１・・振幅／位相制御ユニット、  ７１・・振幅／位相制御部、  ７２・・振幅／位相変換部、  ８１・・ゲイン／位相検出部、  １１１、１２１・・位相検出部、
【図１】
0005446021.tif 000012
【図２】
0005446021.tif 000013
【図３】
0005446021.tif 000014
【図４】
0005446021.tif 000015
【図５】
0005446021.tif 000016
【図６】
0005446021.tif 000017
【図７】
0005446021.tif 000018
【図８】
0005446021.tif 000019
【図９】
0005446021.tif 000020
【図１０】
0005446021.tif 000021
【図１１】
0005446021.tif 000022
【図１２】
0005446021.tif 000023
【図１３】
0005446021.tif 000024
【図１４】
0005446021.tif 000025